(57)【要約】【課題】  電子部品を側面に強固に接合させることができる積層基板および積層基板の製造方法を提供することにある。また、本発明の目的は、信頼性の高い電子装置および電子装置の製造方法を提供することにある。【課題を解決するための手段】  第１の絶縁層１と、第１の絶縁層１の一方主面及び他方主面で且つ、平面視で第１の絶縁層１の端部に位置する領域にそれぞれ被着される一対の導体層４と、第１の絶縁層１の一方主面及び他方主面にそれぞれ積層される第２の絶縁層２及び第３の絶縁層３とからなり、導体層４が、第１の絶縁層１の端部において第２の絶縁層２及び第３の絶縁層３からそれぞれ露出するように、第１の絶縁層１の端部が、第２の絶縁層２の端部および第３の絶縁層３の端部よりも平面視で突出している。この構成により、電子部品９を第１の絶縁層１の側面に搭載して、電子部品９の電極と第１の絶縁層１に形成された導体層４ａ，４ｂとを接合することができるので、電子部品９と積層基板とを強固に接合させることができる。【選択図】  図１
2007294798.tif 000002
【特許請求の範囲】
【請求項１】
第１の絶縁層と、該第１の絶縁層の一方主面及び他方主面で且つ、平面視で前記第１の絶縁層の端部に位置する領域にそれぞれ被着される一対の導体層と、前記第１の絶縁層の一方主面及び他方主面にそれぞれ積層される第２の絶縁層及び第３の絶縁層とからなり、前記導体層が、前記第１の絶縁層の端部において前記第２の絶縁層及び第３の絶縁層からそれぞれ露出するように、前記第１の絶縁層の端部が、前記第２の絶縁層の端部および第３の絶縁層の端部よりも平面視で突出していることを特徴とする積層基板。
【請求項２】
前記一対の導体層の端部の側面と、前記第１の絶縁層の側面とが、平面視で同一の位置にあるか、或いは前記導体層の端部の側面は、前記第１の絶縁層の側面よりも平面視で外側に延在されていることを特徴とする請求項１記載の積層基板。
【請求項３】
前記第２の絶縁層は、前記第１の絶縁層が積層される主面とは反対の主面に、第４の絶縁層が積層され、前記第３の絶縁層は、前記第１の絶縁層が積層される主面とは反対の主面に、第５の絶縁層が積層されるとともに、前記第４の絶縁層及び前記第５の絶縁層は、前記一対の導体層に接続される電子部品の外面よりも突出していることを特徴とする請求項１または請求項２のいずれかに記載の積層基板。
【請求項４】
請求項１乃至請求項３記載の積層基板の第１の絶縁層の側面に電子部品が搭載され、該電子部品の一対の電極が、前記一対の導体層にそれぞれ電気的に接続されていることを特徴とする電子装置。
【請求項５】
第１の絶縁層と、該第１の絶縁層の一方主面及び他方主面のそれぞれで、且つ平面視で前記第１の絶縁層の端部に位置する領域に被着される一対の導体層とを備える基層、及び該基層の一方主面に被着される第２の絶縁層、並びに前記基層の他方主面に被着される第３のシート絶縁層をそれぞれ準備する第１の工程と、前記一対の導体層の側面が、前記第２の絶縁層及び第３の絶縁層の側面よりも、平面視で外側に位置するように、前記第２及び第３の絶縁層を前記基層に被着する第２の工程と、を経ることを特徴とする積層基板の製造方法。
【請求項６】
前記一対の導体層の側面と、前記第１の絶縁層の側面とが、平面視で同一の位置にあるか、或いは前記一対の導体層の側面が、前記第１の絶縁層の側面よりも平面視で外側に位置していることを特徴とする請求項５に記載の積層基板の製造方法。
【請求項７】
請求項５または請求項６のいずれかに記載の製造方法により製造された積層基板の前記一対の導体層の側面に、電子部品の一対の電極がそれぞれ接続されることを特徴とする電子装置の製造方法。
【発明の詳細な説明】
【技術分野】
【０００１】
本発明は、電子部品を搭載するための積層基板および積層基板に電子部品が搭載された電子装置、ならびにこれらの製造方法に関するものである。
【背景技術】
【０００２】
従来、半導体素子や水晶振動子等の電子部品を搭載するための配線基板は、例えば、酸化アルミニウム質焼結体等の電気絶縁材料から成る絶縁基体の表面に、タングステンやモリブデン等の金属粉末メタライズから成る配線導体が配設されることにより形成されている。そして、この配線基板は、上面に電子部品を搭載して蓋体やポッティング樹脂により封止して電子装置として形成される。
【０００３】
また、近年は、配線基板に多数の電子部品を搭載することが求められてきており、合わせて電子装置の小型化が求められてきている。そこで、配線基板における電子部品の実装領域を広くするため、配線基板の側面に電極パッドを形成し、この電極パッドに電子部品の電極を導電性接着剤により接続させて配線基板の側面に電子部品を搭載するという方法が提案されている。このような配線基板は、側面に一対の電極パッドがそれぞれ形成された上層と下層とを中間層の上面と下面とに積層することにより形成することができる（特許文献１参照）。
【特許文献１】特開２００１―１１１３８０号公報
【発明の開示】
【発明が解決しようとする課題】
【０００４】
しかしながら、配線基板は、側面に電極パッドが形成された上層及び下層を中間層に積層することにより形成するため、中間層と上層と下層とのそれぞれに積層ずれを発生することがある。中間層が上層および下層の側面よりも大きく突出して積層ずれが発生すると、中間層の側面に搭載される電子部品と、上層と下層とに形成された電極パッドとの距離が大きく離れて、電子部品は電極パッドから大きく浮いた状態となり、導電性接着剤により接合される電子部品と電極パッドとの接合強度にばらつきが発生し、電極パッドと電子部品とを強固に接合させることができないという問題点を有していた。
【０００５】
また、配線基板の上層と下層とに積層ずれが発生すると、配線基板の側面に対する一対の電極パッドと電子部品の一対の電極との位置が上下でずれてしまうので、電子部品と電極パッドとの距離がばらつき、導電性接着剤により接合される電子部品と電極パッドとの接合強度がばらつくことや、電子部品が配線基板の側面に傾いて搭載されてしまい、電極パッドと電子部品とを強固に接合できないことがあった。
【０００６】
本発明は、上記問題点に鑑み案出されたもので、その目的は、電子部品を側面に強固に接合させることができる積層基板および積層基板の製造方法を提供することにある。また、本発明の目的は、信頼性の高い電子装置および電子装置の製造方法を提供することにある。
【課題を解決するための手段】
【０００７】
本発明の積層基板は、第１の絶縁層と、該第１の絶縁層の一方主面及び他方主面で且つ、平面視で前記第１の絶縁層の端部に位置する領域にそれぞれ被着される一対の導体層と、前記第１の絶縁層の一方主面及び他方主面にそれぞれ積層される第２の絶縁層及び第３の絶縁層とからなり、前記導体層が、前記第１の絶縁層の端部において前記第２の絶縁層及び第３の絶縁層からそれぞれ露出するように、前記第１の絶縁層の端部が、前記第２の絶縁層の端部および第３の絶縁層の端部よりも平面視で突出していることを特徴とするものである。
【０００８】
また、好ましくは、本発明の積層基板は、前記一対の導体層の端部の側面と、前記第１の絶縁層の側面とが、平面視で同一の位置にあるか、或いは前記導体層の端部の側面は、前記第１の絶縁層の側面よりも平面視で外側に延在されていることを特徴とするものである。
【０００９】
また、好ましくは、本発明の積層基板は、前記第２の絶縁層は、前記第１の絶縁層が積層される主面とは反対の主面に、第４の絶縁層が積層され、前記第３の絶縁層は、前記第１の絶縁層が積層される主面とは反対の主面に、第５の絶縁層が積層されるとともに、前記第４の絶縁層及び前記第５の絶縁層は、前記一対の導体層に接続される電子部品の外面よりも突出していることを特徴とするものである。
【００１０】
また、本発明の電子装置は、本発明の積層基板の第１の絶縁層の側面に電子部品が搭載され、該電子部品の一対の電極が、前記一対の導体層にそれぞれ電気的に接続されていることを特徴とするものである。
【００１１】
本発明の積層基板の製造方法は、第１の絶縁層と、該第１の絶縁層の一方主面及び他方主面のそれぞれで、且つ平面視で前記第１の絶縁層の端部に位置する領域に被着される一対の導体層とを備える基層、及び該基層の一方主面に被着される第２の絶縁層、並びに前記基層の他方主面に被着される第３のシート絶縁層をそれぞれ準備する第１の工程と、前記一対の導体層の側面が、前記第２の絶縁層及び第３の絶縁層の側面よりも、平面視で外側に位置するように、前記第２及び第３の絶縁層を前記基層に被着する第２の工程と、を経ることを特徴とするものである。
【００１２】
また、好ましくは、本発明の積層基板の製造方法は、前記一対の導体層の側面と、前記第１の絶縁層の側面とが、平面視で同一の位置にあるか、或いは前記一対の導体層の側面が、前記第１の絶縁層の側面よりも平面視で外側に位置していることを特徴とするものである。
【００１３】
本発明の電子装置の製造方法は、本発明の製造方法により製造された積層基板の前記一対の導体層の側面に、電子部品の一対の電極がそれぞれ接続されることを特徴とするものである。
【発明の効果】
【００１４】
本発明の積層基板は、第１の絶縁層と、第１の絶縁層の一方主面及び他方主面で且つ、平面視で第１の絶縁層の端部に位置する領域にそれぞれ被着される一対の導体層と、第１の絶縁層の一方主面及び他方主面にそれぞれ積層される第２の絶縁層及び第３の絶縁層とからなり、導体層が、第１の絶縁層の端部において第２の絶縁層及び第３の絶縁層からそれぞれ露出するように、第１の絶縁層の端部が、第２の絶縁層の端部および第３の絶縁層の端部よりも平面視で突出していることから、電子部品を、第２の絶縁層及び第３の絶縁層とは独立して、第１の絶縁層の側面に搭載して、電子部品の電極と第１の絶縁層に形成された導体層とを接合することができるので、電子部品と導体層との接合強度のばらつきを低減させることができるとともに、電子部品を積層基板の側面に搭載した場合に、電子部品を傾きにくくなすことができ、電子部品と積層基板とを強固に接合させることができる。
【００１５】
また、好ましくは、本発明の積層基板は、一対の導体層の端部の側面と、第１の絶縁層の側面とが、平面視で同一の位置にあるか、或いは導体層の端部の側面は、第１の絶縁層の側面よりも平面視で外側に延在されていることから、電子部品と第１の絶縁層に形成された導体層とに直接当接させて接合させることができるので、第１の絶縁層の側面と導体層との距離のばらつきを少なくなして、電子部品と導体層との接合強度のばらつきをより良好に低減させて、電子部品と積層基板とをより強固に接合させることができる。
【００１６】
また、好ましくは、本発明の積層基板は、第２の絶縁層の第１の絶縁層が積層される主面とは反対の主面に、第４の絶縁層が積層され、第３の絶縁層の第１の絶縁層が積層される主面とは反対の主面に、第５の絶縁層が積層されるとともに、第４の絶縁層及び第５の絶縁層は、一対の導体層に接続される電子部品の外面よりも突出している。これにより積層基板の側面に凹部が形成され、電子部品をその内部に収容させることができ、信頼性に優れた電子装置とすることができる。
【００１７】
また、本発明の電子装置は、本発明の積層基板の第１の絶縁層の側面に電子部品が搭載され、電子部品の一対の電極が、一対の導体層にそれぞれ電気的に接続されていることから、電子部品と導体層とが強固に接合されるので、信頼性に優れた電子装置となる。
【００１８】
本発明の積層基板の製造方法は、第１の絶縁層と、第１の絶縁層の一方主面及び他方主面のそれぞれで、且つ平面視で前記第１の絶縁層の端部に位置する領域に被着される一対の導体層とを備える基層、及び該基層の上面に被着される第２の絶縁層、並びに基層の下面に被着される第３のシート絶縁層をそれぞれ準備する第１の工程と、一対の導体層の側面が、第２の絶縁層及び第３の絶縁層の側面よりも、平面視で外側に位置するように、第２及び第３の絶縁層を基層に被着する第２の工程とを経ることから、電子部品を第１の絶縁層の側面に搭載して、電子部品の電極と第１の絶縁層に形成された導体層とを接合することができようになるので、第１の絶縁層の側面と導体層の端部の側面との距離のばらつきを低減し、電子部品と導体層との接合強度のばらつきを低減させることができるとともに、電子部品を積層基板の側面に傾きなく搭載させることができ、電子部品と積層基板とを強固に接合させることができる。
【００１９】
また、好ましくは、本発明の積層基板の製造方法は、一対の導体層の側面と、第１の絶縁層の側面とが、平面視で同一の位置にあるか、或いは一対の導体層の側面が、第１の絶縁層の側面よりも平面視で外側に位置していることから、電子部品と第１の絶縁層に形成された導体層とに直接当接させて接合させることができ、第１の絶縁層の側面と導体層との距離のばらつきがなく、電子部品と導体層との接合強度のばらつきをより良好に低減させて、電子部品と積層基板とをより強固に接合させることができる。
【００２０】
本発明の電子装置の製造方法は、本発明の製造方法により製造された積層基板の一対の導体層の側面に、電子部品の一対の電極がそれぞれ接続されることから、電子部品と導体層とを強固に接合されるので、信頼性に優れた電子装置となる。
【発明を実施するための最良の形態】
【００２１】
本発明のセラミックグリーンシート積層体について説明する。図１は本発明のセラミックグリーンシート積層体の実施の形態の一例を示す断面図である。図１において、１は第１の絶縁層、２は第２の絶縁層、３は第３の絶縁層、４ａ，４ｂは導体層、５は配線導体であり、これらにより積層基板が形成される。
【００２２】
本発明における積層基板は、第１の絶縁層１と、第１の絶縁層１の一方主面及び他方主面で且つ、平面視で第１の絶縁層１の端部に位置する領域にそれぞれ被着される一対の導体層４ａ，４ｂと、第１の絶縁層１の一方主面及び他方主面にそれぞれ積層される第２の絶縁層２及び第３の絶縁層３とからなる。
【００２３】
第１乃至第３の絶縁層１，２，３は、酸化アルミニウム質焼結体（アルミナセラミックス）、窒化アルミニウム質焼結体、ムライト質焼結体、ガラスセラミックス質焼結体等のセラミックスからなる板状のものである。
【００２４】
第１乃至第３の絶縁層１，２，３は、例えば酸化アルミニウム質焼結体からなる場合、酸化アルミニウム、酸化珪素、酸化マグネシウム、酸化カルシウム等の原料粉末に適当な有機バインダーおよび溶剤、可塑剤、分散剤等を添加混合して得たセラミックスラリーを従来周知のドクターブレード法等のシート成形方法を採用してシート状に成形してセラミックグリーンシートを得、しかる後、セラミックグリーンシートに適当な打抜き加工を施し、高温（約１５００〜１８００℃）で焼成することによって製作される。
【００２５】
第１の絶縁層１の一方主面及び他方主面の平面視で第１の絶縁層１の端部１ａに位置する領域に、導体層４ａ，４ｂが被着形成されている。導体層４ａ，４ｂは、積層基板の側面に搭載される電子部品９を外部回路基板等に電気的に接続するための導電路として機能し、後述する配線導体５のいくつかに電気的に接続される。導体層４ａ，４ｂは、タングステンやモリブデン、銅、銀等の金属粉末メタライズからなり、スクリーン印刷法等の印刷手段を用いて、第１の絶縁層１用のセラミックグリーンシートの一方主面と他方主面との所定の位置に導体層４用のメタライズペーストを印刷塗布し、第１の絶縁層１とともに焼成することによって第１の絶縁層１の端部に位置する領域に形成することができる。メタライズペーストは、主成分の金属粉末に有機バインダー、有機溶剤、必要に応じて分散剤等を加えてボールミル、三本ロールミル、プラネタリーミキサー等の混練手段により混合および混練することで製作される。セラミックグリーンシートの焼結挙動に合わせたり、焼結後の積層基板との接合強度を高めたりするためにガラスやセラミックスの粉末を添加しても良い。
【００２６】
なお、導体層４ａ，４ｂは、平面視で重畳するように第１の絶縁層１の一方主面と他方主面とに配設されており、導体層４ａ，４ｂの幅や厚みは、接合する電子部品の形状に合わせて適宜選択すれば良い。また、後述する電子部品９を良好に接合するために、電子部品９に接合する部分の導体層４ａと導体層４ｂとは同形状の幅、長さ、厚みに形成しておくことが好ましい。
【００２７】
また、導体層４ａ，４ｂは、第２の絶縁層２および第３の絶縁層３の側面に延出して形成していても構わない。この場合、第２の絶縁層２用のセラミックグリーンシートおよび第３の絶縁層３用のセラミックグリーンシートの側面となる位置にそれぞれ導体層４ａ，４ｂ用のメタライズペーストを印刷塗布しておくことによって形成することができる。
【００２８】
また、積層基板には、配線導体５が被着形成されている。配線導体５は、積層基板に搭載される電子部品９や第２の電子部品を外部回路基板に電気的に接続するための導電路として機能し、タングステンやモリブデン、銅、銀等の金属粉末メタライズからなり、スクリーン印刷法等の印刷手段を用いて、第１乃至第３の絶縁層１，２，３のセラミックグリーンシートの所定の位置に配線導体５用のメタライズペーストを印刷塗布し、第１乃至第３の絶縁層１，２，３用のセラミックグリーンシートとともに焼成することによって積層基板の所定の位置に形成することができる。配線導体５用のメタライズペーストは、導体層４ａ，４ｂのメタライズペーストと同様にして作製されるが、有機バインダーや有機溶剤の量により印刷に適した粘度に調製される。
【００２９】
また、上面および下面に形成された配線導体５は、積層基板を貫通する貫通導体により電気的に接続されている。このような貫通導体は、配線導体５を形成するためのメタライズペーストの印刷塗布に先立って第１乃至第３の絶縁層１，２，３用のセラミックグリーンシートに金型やパンチングによる打ち抜き方法またはレーザ加工法等の加工方法により貫通導体用の貫通孔を形成し、この貫通導体用の貫通孔にメタライズペーストをスクリーン印刷法等の印刷手段により充填しておくとともに、これを第１乃至第３の絶縁層１，２，３用のセラミックグリーンシートとともに焼成することによって形成される。貫通導体用のメタライズペーストは、導体層４ａ，４ｂや配線導体５と同様にして作製されるが、有機バインダーや有機溶剤の量により充填に適した粘度に調製される。
【００３０】
なお、導体層４ａ，４ｂおよび配線導体５の露出する表面には、導体層４ａ，４ｂおよび配線導体５が酸化腐食するのを防止するとともに、電子部品９と導体層４ａ，４ｂまたは配線導体５との接合、積層基板と外部回路基板との接合を強固なものとするために、厚みが１〜10μｍ程度のニッケルめっき層と厚みが0.1〜３μｍ程度の金めっき層とが順次被着されていることが好ましい。
【００３１】
積層基板は、第１の絶縁層１の一方主面及び他方主面にそれぞれ第２の絶縁層２と第３の絶縁層３とを積層することにより形成されており、第１の絶縁層１用のセラミックグリーンシートの一方主面および他方主面に第２または第３の絶縁層２，３用のセラミックグリーンシートを積層した後、高温で焼成することにより焼結一体化した積層基板として形成される。
【００３２】
そして、導体層４ａ，４ｂが、第１の絶縁層１の端部１ａにおいて第２の絶縁層２及び第３の絶縁層３からそれぞれ露出するように、第１の絶縁層１の端部１ａが、第２の絶縁層２の端部２ａおよび第３の絶縁層３の端部３ａよりも平面視で突出している。この構成により、電子部品９を第１の絶縁層１の側面に搭載して、電子部品９の電極と第１の絶縁層１に形成された導体層４ａ，４ｂとを接合することができるので、第１の絶縁層１の側面と導体層４ａ，４ｂの端部の側面との距離のばらつきを低減し、電子部品９と導体層４ａ，４ｂとの接合強度のばらつきを低減させることができるとともに、電子部品９を積層基板の側面に傾きなく搭載させることができ、電子部品９と積層基板とを強固に接合させることができる。
【００３３】
なお、第１の絶縁層の端部１ａは、第２の絶縁層２の端部２ａおよび第３の絶縁層３の端部３ａよりも0.1ｍｍ以上突出させるようにして第１乃至第３の絶縁層１，２，３を積層することが好ましい。0.1ｍｍ未満にしておくと、第１の絶縁層の一方主面および他方主面に第２の絶縁層２および第３の絶縁層３を積層する際の積層ずれによって、第２の絶縁層２および第３の絶縁層３が導体層４ａ，４ｂを被覆してしまい、導体層４ａ，４ｂが露出しなくなることがある。
【００３４】
また、一対の導体層４ａ，４ｂの端部の側面と、第１の絶縁層１の側面とが、平面視で同一の位置にあるか、あるいは導体層４ａ，４ｂの端部の側面は第１の絶縁層１の側面よりも平面視で外側に延在されていることが好ましい。この構成により、電子部品９と第１の絶縁層１に形成された導体層４ａ，４ｂとに直接当接させて接合させることができるので、第１の絶縁層１の端部１ａの側面と導体層４ａ，４ｂの端部の側面との距離のばらつきがなく、電子部品９と導体層４ａ，４ｂとの接合強度のばらつきをより良好に低減させて、電子部品９と積層基板とをより強固に接合させることができる。
【００３５】
なお、ここでいう一対の導体層４ａ，４ｂの端部の側面とは、第１の絶縁層１に形成された導体層４ａ，４ｂの端部における側面のことを示すものである。すなわち、一対の導体層４ａ，４ｂの端部と第１の絶縁層１の端部１ａとが平面視で同一の位置にあるか、あるいは導体層４ａ，４ｂの端部が平面視で第１の絶縁層１の端部１ａよりも突出していることを示すものである。
【００３６】
以上のような積層基板としては、電子部品９の電極と導体層４ａ，４ｂの側面とが当接するように電子部品９の形状に合わせて第１の絶縁層１の厚みと導体層４ａ，４ｂの厚みと、導体層４ａ，４ｂの側面の位置を設定しておけば良く、例えば、電子部品９を0.6ｍｍ（長さ）×0.3ｍｍ（幅）×0.3ｍｍ（厚み）の矩形状のコンデンサ（片側端部に0.15ｍｍ（長さ）×0.3ｍｍ（幅）の一対の電極）とし、第１の絶縁層１の厚みを0.4ｍｍ、第２の絶縁層２の厚みを0.2ｍｍ、第３の絶縁層３の厚みを0.2ｍｍ、導体層４ａ，４ｂの厚みを0.02ｍｍとし、平面視で第１の絶縁層１の側面と導体層４ａ，４ｂの側面とを同一の位置となるように揃えておけば良い。そして、一対の電極がそれぞれ導体層４ａ，４ｂの側面に当接するように積層基板の側面に搭載すれば良い。なお、上述において、電子部品９は、積層基板の側面に横向きにして搭載されるので、第１乃至第３の絶縁層１，２，３および導体層４ａ，４ｂの厚み方向は、電子部品９の長さ方向と同一方向であるものとして考えれば良い。
【００３７】
なお、このような導体層４ａ，４ｂは、次のようにして製作することができる。例えば、第１の絶縁層１用のセラミックグリーンシートの所定の位置に導体層４ａ，４ｂのメタライズペーストを印刷塗布した後、第１の絶縁層１用のセラミックグリーンシートを一方主面から他方主面にかけて導体層４ａ，４ｂ用のメタライズペーストとともに切断することで、一対の導体層４ａ，４ｂのメタライズペーストと第１の絶縁層１用のセラミックグリーンシートの側面とは平面視で同一の位置に形成することができるので、これを高温で焼成することによって、一対の導体層４ａ，４ｂの側面と第１の絶縁層１の側面とを平面視で同一の位置にすることができる。また、第１の絶縁層１用のセラミックグリーンシートを積層基板の外縁に合わせて所定形状に加工した後、導体層４ａ，４ｂのメタライズペーストが第１の絶縁層１用のセラミックグリーンシートの一方主面または他方主面から側面に延出するようにスクリーン印刷法等の印刷手段により印刷した後、高温で焼成することによって導体層４ａ，４ｂの側面が第１の絶縁層１の側面よりも平面視で外側に延在されるようにすることができる。また、金属箔等を第１の絶縁層１の側面よりも延出するように貼付しておくことによっても導体層４ａ，４ｂの側面が第１の絶縁層１の側面よりも平面視で外側に延在されるようにすることができる。
【００３８】
また、図２に示すように、導体層４ａ，４ｂの表面の露出される部位の一部領域に絶縁膜６を被覆しておいても構わない。この構成により、電子部品９と導体層４ａ，４ｂとを半田等の導電性接着剤により接合する際、導体層４ａ，４ｂの表面を濡れ広がる導電性接着剤のばらつきを調整し、導体層４ａ，４ｂと電子部品９との接合をより強固なものとすることができるようになる。
【００３９】
このような絶縁膜６は、第１の絶縁層用のセラミックグリーンシートに導体層４ａ，４ｂ用のメタライズペーストを印刷塗布した後、導体層４ａ，４ｂの一部領域を被覆するように絶縁膜６用のセラミックペーストを印刷塗布し、第１の絶縁層１および導体層４ａ，４ｂとともに焼成することによって製作される。セラミックペーストは、第１の絶縁層と基本的に同一成分の材料からなってもよく、主成分のセラミック粉末に有機バインダー、有機溶剤、必要に応じてボールミル、三本ロールミル、プラネタリーミキサー等の混練手段に混合および混練することで製作される。セラミックグリーンシートの焼結挙動に合わせたり、焼結後の積層基板との接合強度を高めたりするためにガラスやセラミックスの粉末を添加しても良い。また、絶縁膜６は、第１の絶縁層１と同様の手段により形成された絶縁膜６用のセラミックグリーンシートを導体層４ａ，４ｂの一部領域に積層した後、第１の絶縁層１とともに焼成することによって形成することもできる。
【００４０】
また、図３に示すように、積層基板の側面に切欠き部を形成しておき、切欠き部内に導体層４ａ，４ｂが形成された領域を配設しても構わない。この構成により、積層基板の側面方向（長さ方向または幅方向）に沿って凹部を形成することができるので、この凹部内に電子部品９を収容することができるようになる。
【００４１】
このような積層基板は、第１の絶縁層１の導体層４ａ，４ｂとなる領域に切欠き部を形成しておくとともに、第２および第３の絶縁層２，３の所定領域に第１の絶縁層１に形成される切欠き部よりも広領域の切欠き部を形成しておき、これらの切欠き部が平面視で重なるように積層することで形成することができる。また、切り欠き部の奥行き方向の深さは、搭載される電子部品９の厚みよりも大きく形成しておくと、搭載される電子部品９の外面９ａは、積層基板の側面よりも内側に位置することとなり、電子部品９をこの凹部内に確実に収容することができるようになる。なお、ここでいう電子部品９の外面９ａとは、積層基板の側面に搭載された電子部品９の側面（図３では右側面）のことを示すものである。
【００４２】
以上のような積層基板としては、電子部品９が凹部内に収容されるように、電子部品９の形状に合わせて切欠き部の形状を設定しておけば良く、例えば、電子部品９を0.6ｍｍ（長さ）×0.3ｍｍ（幅）×0.3ｍｍ（厚み）の矩形状のコンデンサ（片側端部に0.2ｍｍ（長さ）×0.3ｍｍ（幅）の一対の電極）とし、第１の絶縁層１の厚みを0.3ｍｍ、第２の絶縁層２の厚みを0.2ｍｍ、第３の絶縁層３の厚みを0.2ｍｍ、導体層４ａ，４ｂの厚みを0.02ｍｍとしておき、第１の絶縁層１の切欠き部の形状を0.5ｍｍ（奥行き方向の長さ）×0.5ｍｍ（側面における開口幅）、第２および第３の絶縁層２，３の切欠き部の形状をそれぞれ0.6ｍｍ（奥行き方向の長さ）×0.6ｍｍ（側面における開口幅）として凹部を形成しておけば良い。そして、電子部品９が凹部に収容されるように積層基板の側面に搭載すれば良い。なお、上述において、電子部品９は、積層基板の側面に横向きにして搭載されるので、第１乃至第３の絶縁層１，２，３および導体層４ａ，４ｂの厚み方向は、電子部品９の長さ方向と同一方向とし、切欠き部の奥行き方向の長さ方向は、電子部品９の厚み方向と同一方向とし、切欠き部の開口幅は、電子部品９の幅方向と同一方向として考えればよい。
【００４３】
また、図１において、積層基板は、それぞれ１層からなる第１乃至第３の絶縁層１，２，３を積層することにより形成されているが、第１乃至第３の絶縁層１，２，３は、それぞれ複数層からなるものであっても良く、搭載される電子部品９の形状や配線導体５の配列等に合わせて適宜選択すればよい。なお、第１の絶縁層１が複数層からなる場合、電子部品９を良好に第１の絶縁層９の側面に搭載させるため、複数枚のセラミックグリーンシートを積層して第１の絶縁層１用のセラミックグリーンシートを形成した後、切断加工等の手段により複数枚からなる第１の絶縁層１の側面の位置を平面視で同一となるように揃えておき、第１の絶縁層１の側面の位置精度を良好なものとすることが好ましい。
【００４４】
また、図４に示すように、第２の絶縁層２は、第１の絶縁層１が積層される主面とは反対の主面に、第４の絶縁層７が積層されており、第３の絶縁層３は、第１の絶縁層１が積層される主面とは反対の主面に、第５の絶縁層８が積層されていても構わない。なお、第４の絶縁層７および第５の絶縁層８には、上述と同様の手段により配線導体５が形成される。そして、第４の絶縁層７及び第５の絶縁層８は、一対の導体層４ａ，４ｂに接続される電子部品９の外面９ａよりも突出していることが好ましい。この構成により、積層基板の側面に、厚み方向に沿った凹部が形成されるので、電子部品９を凹部内に収容させることができるようになり、信頼性に優れた電子装置とすることができる。
【００４５】
また、第４または第５の絶縁層７，８の突出した領域に配線導体５を形成することができるので、積層基板の一方主面または他方主面により多くの電子部品９や第２の電子部品を搭載することができるようになる。
【００４６】
以上のような積層基板としては、電子部品９が凹部内に収容されるように、電子部品９の形状に合わせて第４および第５の絶縁層７，８の突出長さを設定しておけば良く、例えば、電子部品９を1.0ｍｍ（長さ）×0.5ｍｍ（幅）×0.5ｍｍ（厚み）の矩形状のコンデンサ（片側端部に0.3ｍｍ（長さ）×0.5ｍｍ（幅）の一対の電極）とし、第１の絶縁層１の厚みを0.3ｍｍ、第２の絶縁層２の厚みを0.4ｍｍ、第３の絶縁層３の厚みを0.4ｍｍ、第４の絶縁層７の厚みを0.3ｍｍ、第５の絶縁層８の厚みを0.3ｍｍ、導体層４ａ，４ｂの厚みを0.02ｍｍとしておき、第４および第５の絶縁層７，８の端部が第１の絶縁層１の端部１ａよりも平面視で0.7ｍｍ突出するようにして凹部を形成しておけば良い。そして、電子部品９が凹部に収容されるように積層基板の側面に搭載すれば良い。なお、上述において、電子部品９は、積層基板の側面に横向きにして搭載されるので、第１乃至第５の絶縁層１，２，３，７，８および導体層４ａ，４ｂの厚み方向は電子部品９の長さ方向と同一方向とし、第４および第５の絶縁層７，８の突出長さ方向を電子部品９の厚み方向と同一方向として考えればよい。
【００４７】
また、第４および第５の絶縁層７，８を形成するとともに、図３に示したような切欠き部を形成しておくと、積層基板の側面に全周方向を囲む凹部を形成することができるので、電子部品９を凹部内に確実に収容することができ、信頼性に優れた電子装置とすることができる。なお、第４の絶縁層７および第５の絶縁層８は、上述の第１乃至第３の絶縁層１，２，３と同様の手段により製作することができる。また、第４および第５の絶縁層７，８は、第４および第５の絶縁層７，８用のセラミックグリーンシートを第１乃至第３の絶縁層１，２，３用のセラミックグリーンシートに積層した後に焼成しておくことにより焼結一体化した積層基板として形成することができる。
【００４８】
本発明の電子装置は、上述の積層基板の第１の絶縁層の側面に電子部品９が搭載され、電子部品９の一対の電極が一対の導体層４ａ，４ｂにそれぞれ電気的に接続されている。これにより、一対の導体層４ａ，４ｂと電子部品９とを強固に接合することができるので、信頼性に優れた電子装置となる。
【００４９】
電子部品９は、コンデンサ、抵抗素子、インダクタ等のチップ素子である。電子部品９の搭載は、半田等の導電性接着剤を介して、チップ素子の電極と一対の導体層４ａ，４ｂとを電気的に接続することにより行われる。また、電子部品９は必要に応じて封止される。封止はエポキシ樹脂等の封止樹脂により電子部品９を覆うことにより行ったり、電子部品９を覆うようにして載置した樹脂や金属、セラミックス等からなる蓋体をガラス、樹脂、ロウ材等の接着剤により積層基板に取着することにより行ったりすれば良い。
【００５０】
また、積層基板の一方主面または他方主面には、第２の電子部品が搭載される。第２の電子部品は、ＩＣチップやＬＳＩチップ等の半導体素子、水晶振動子や圧電振動子等の圧電素子、各種センサ等である。第２の電子部品の搭載は、第２の電子部品がフリップチップ型の半導体素子である場合には、はんだバンプや金バンプ、または導電性樹脂（異方性導電樹脂等）を介して、半導体素子の電極と配線導体とを電気的に接続することにより行なわれ、また、第２の電子部品がワイヤボンディング型の半導体素子である場合には、ガラス、樹脂、ろう材等の接合材により固定した後、ボンディングワイヤを介して半導体素子の電極と配線導体５とを電気的に接続することにより行なわれる。また、第２の電子部品が水晶振動子等の圧電素子である場合には、導電性樹脂により圧電素子の固定と圧電素子の電極と配線導体５との電気的な接続を行なう。そして、第２の電子部品は、必要に応じて上述の電子部品と同様の手段により封止される。
【００５１】
なお、電子部品９は、積層基板の側面とともに、積層基板の一方主面または他方主面にも搭載していても構わない。
【００５２】
なお、本発明は、本発明の要旨を逸脱しない範囲であれば種々の変更は可能である。例えば、図５に示すように、積層基板の一方主面または他方主面に、第１の電子部品９または第２の電子部品を収容するための凹部を設けても構わない。また、図６に示すように、複数の一対の導体層４ａ，４ｂを積層基板の側面の厚み方向に配設したり、積層基板の側面方向（長さ方向または幅方向）に複数の一対の導体層４ａ，４ｂを配設しても良く、また、積層基板の１側面のみならず、積層基板の複数の側面に一対の導体層４ａ，４ｂを配設しても構わない。この構成により、複数の導体層４ａ，４ｂのそれぞれに電子部品を搭載することができるので、積層基板の側面を有効に利用して複数の電子部品を搭載することができ、小型でかつ信頼性の高い電子装置を形成することができる。
【図面の簡単な説明】
【００５３】
【図１】本発明の積層基板の実施の形態の一例を示す断面図である。
【図２】（ａ）は、本発明の積層基板の実施の形態の一例を示す平面図であり、（ｂ）は（ａ）のＡ−Ａ’線における断面図である。
【図３】（ａ）は、本発明の積層基板の実施の形態の一例を示す平面図であり、（ｂ）は（ａ）のＢ−Ｂ’線における断面図である。
【図４】本発明の積層基板の実施の形態の一例を示す断面図である。
【図５】本発明の積層基板の実施の形態の一例を示す断面図である。
【図６】本発明の積層基板の実施の形態の一例を示す断面図である。
【符号の説明】
【００５４】
１・・・第１の絶縁層
２・・・第２の絶縁層
３・・・第３の絶縁層
４・・・導体層
５・・・配線導体
６・・・絶縁層
７・・・第４の絶縁層
８・・・第５の絶縁層
９・・・電子部品
【図１】
2007294798.tif 000003
【図２】
2007294798.tif 000004
【図３】
2007294798.tif 000005
【図４】
2007294798.tif 000006
【図５】
2007294798.tif 000007
【図６】
2007294798.tif 000008